(57)【要約】      （修正有）【課題】路面標識用ブロックを容易に短時間で路面に固定、撤去するための繋留用固定金具を提供する。【解決手段】ボルト２、ワッシャー３、カラー４、椀状金具５、羽つきナットからなる繋留用固定金具であって、ボルトと羽根つきナット６を螺合させることで、羽根つきナット６の羽部が拡開することを特徴とする繋留用固定金具。また繋留用固定金具を繋留用固定金具と路面標識用ブロック７を組み付け、組み付けた状態で羽根つきナット６側を路面に穿けられた固定用孔８に対して押し込む等して路面標識用ブロック７を路面に取付け、ボルト２と羽根つきナット６を螺合することにより、羽根つきナット６の羽部が拡開し、路面に設けられた固定用孔８の側面に喰らいつき、路面標識用ブロック７がボルト頭部と路面に矜持され、路面標識用ブロック７を路面に固定する。【選択図】図３
2013194504.tif 000002
【特許請求の範囲】
【請求項１】
ボルト、ワッシャー、カラー、椀状金具、羽つきナットからなる繋留固定金具であって、ワッシャーは内径はボルトの呼び径より大きく、外径はカラーの外径より大きく、カラーは内径がボルトの呼び径より大きく、外径は繋留固定金具が用いられる路面標識用ブロックに設けられた貫通孔より小さく、長さが路面標識用ブロックに設けられた貫通孔の長さより長く、椀状金具は円筒部と底部を備え、底部の中心にはカラーの内径より小さく、ボルトの呼び径よりやや大きい貫通孔が設けられ、円筒部は羽根つきナットのナットの高さより長く、内径がボルトの呼び径より大きく、外径は羽根つきナットのスリット底部を結んで描かれる円の直径よりやや大きく、羽つきナットはナット部と羽つきプレート部を備え、羽つきプレート部は略円形で外周から中心に向かって複数の任意の形状のスリットが設けられ、スリット底部をそれぞれ互いに結ぶ線に沿ってスリットとスリットの間の羽根部を塑性変形によってやや曲げられ、中心にボルトの呼び径よりやや大きい貫通孔が設けられた羽つきプレートで、羽つきプレートの貫通孔の中心とナットの雌ねじの中心を合わせて、ナットの片側端面と羽つきプレートを溶接等の方法を用いて固着する等の方法を用いて固着されており、ボルトにワッシャー、カラー、椀状金具を底部側から挿通し、ボルトと羽根つきナットを螺合させることで、羽根つきナットの羽部が拡開することを特徴とする繋留固定金具。
【請求項２】
請求項１の繋留固定金具を用いた路面標識用ブロックの路面への取付施工方法であって、ボルトにワッシャー、カラーの順番で挿通し、それらを路面標識用ブロックに設けられた貫通孔に挿通し、突出したボルトのおねじ部を椀状金具に底部に設けられた貫通孔に挿通し、羽根つきナットを曲げられた羽部の鋭角側からおねじに螺合することで、繋留固定金具と路面標識用ブロックを組み付け、組み付けた状態で羽根つきナット側を路面に穿けられた固定用孔に対して押し込む、あるいはハンマー等を用いて叩きこむことで、路面標識用ブロックを路面に取付け、ボルトと羽根つきナットを螺合することにより、羽根つきナットの羽部が拡開し、路面に設けられた固定用孔の側面に喰らいつき、路面標識用ブロックがボルト頭部と路面に矜持され、路面標識用ブロックが路面に固定される事を特徴とする取付施工方法。
【発明の詳細な説明】
【技術分野】
【０００１】本発明は、道路の走行車線を区分し、あるいは走行区域を規制するための、車線分離標や路面標識用ブロック等の路面標識を路面に固定するための繋留固定具に関する。
【背景技術】
【０００２】従来、合成樹脂ブロックよりなる路面標識用ブロックを路面に固定する方法として、路面標識用ブロックの固定位置にある程度の大きさの固定用の孔をあけ、その中に接着剤等の固化性流動物を注ぎ、路面標識用ブロックに設けられた貫通孔にボルトを挿通し、ブロック下面より突出したボルトをそのまま、あるいはナット、あるいは鞘を螺合した状態で、固定用の孔に注がれた固化性流動物の中に押し込み、一定時間以上静置することで、路面標識用ブロックを路面に固定していた。
【先行技術文献】
【０００３】
【特許文献１】  特開平８−１６５６２０
【発明の概要】
【発明が解決しようとする課題】
【０００４】しかし、前記方法で路面標識用ブロックを路面に固定するためには、接着剤等の固化性流動物を注ぎ込む作業が必要、接着剤等が固化するまで一定時間以上静置する必要がある等、作業性に問題があった。【０００５】したがって、本発明は路面標識用ブロックを容易に短時間で路面に固定、撤去する事ができる繋留固定具を提供するものである。
【課題を解決するための手段】
【０００６】ボルト、ワッシャー、カラー、椀状金具、羽つきナットからなる繋留固定金具であって、ワッシャーは内径はボルトの呼び径より大きく、外径はカラーの外径より大きく、カラーは内径がボルトの呼び径より大きく、外径は繋留固定金具が用いられる路面標識用ブロックに設けられた貫通孔より小さく、長さが路面標識用ブロックに設けられた貫通孔の長さより長く、椀状金具は円筒部と底部を備え、底部の中心にはカラーの内径より小さく、ボルトの呼び径よりやや大きい貫通孔が設けられ、円筒部は羽根つきナットのナットの高さより長く、内径がボルトの呼び径より大きく、外径は羽根つきナットのスリット底部を結んで描かれる円の直径よりやや大きく、羽つきナットはナット部と羽つきプレート部を備え、羽つきプレート部は略円形で外周から中心に向かって複数の任意の形状のスリットが設けられ、スリット底部をそれぞれ互いに結ぶ線に沿ってスリットとスリットの間の羽根部を塑性変形によってやや曲げられ、中心にボルトの呼び径よりやや大きい貫通孔が設けられた羽つきプレートで、羽つきプレートの貫通孔の中心とナットの雌ねじの中心を合わせて、ナットの片側端面と羽つきプレートを溶接等の方法を用いて固着する等の方法を用いて固着されており、ボルトにワッシャー、カラー、椀状金具を底部側から挿通し、ボルトと羽根つきナットを螺合させることで、羽根つきナットの羽部が拡開することを特徴とする繋留固定金具。【０００７】請求項１の繋留固定金具を用いた路面標識用ブロックの路面への取付施工方法であって、ボルトにワッシャー、カラーの順番で挿通し、それらを路面標識用ブロックに設けられた貫通孔に挿通し、突出したボルトのおねじ部を椀状金具に底部に設けられた貫通孔に挿通し、羽根つきナットを曲げられた羽部の鋭角側からおねじに螺合することで、繋留固定金具と路面標識用ブロックを組み付け、組み付けた状態で羽根つきナット側を路面に穿けられた固定用孔に対して押し込む、あるいはハンマー等を用いて叩きこむことで、路面標識用ブロックを路面に取付け、ボルトと羽根つきナットを螺合することにより、羽根つきナットの羽部が拡開し、路面に設けられた固定用孔の側面に喰らいつき、路面標識用ブロックがボルト頭部と路面に矜持され、路面標識用ブロックが路面に固定される事を特徴とする取付施工方法。
【発明の効果】
【０００８】本発明の繋留固定金具、繋留固定金具を用いた路面標識用ブロックの路面への取付施工方法によれば、路面標識用ブロックの路面への取付けが容易にでき、かつ短時間で路面に固定することができる。また、使用後の撤去も容易に短時間で行うことができる。さらに、本発明の繋留固定金具を用いれば、路面標識用ブロックだけでなく、路面にある程度の大きさの孔があり、固定したいものにある程度の大きさの貫通孔が設けられていれば対象物を路面に固定することができる。たとえば、道路の路肩のブロックや車両止めのブロックである。
【図面の簡単な説明】
【０００８】
【図１】本発明の繋留固定金具の構成である。
【図２】本発明の繋留固定金具を用いた路面標識用ブロックの路面への固定方法の一実施例であり、路面に固定する前の状態を示す。
【図３】本発明の繋留固定金具を用いた路面標識用ブロックを路面に固定する取付施工方法の一実施例の断面図である。
【発明を実施する為の形態】
【０００９】以下本発明の一実施形態を図面を用いて説明する。
【実施例】
【００１０】図１は、本発明の繋留固定金具の構成である。
繋留固定金具１はボルト２、ワッシャー３、カラー４、椀状金具５、羽根つきナット６からなる。ワッシャー３の内径はボルト２の呼び径より大きく、外径はカラー４の外径より大きい。カラー４は内径がボルトの呼び径より大きく、外径は繋留固定金具１が用いられる路面標識用ブロック７に設けられた貫通孔より小さく、長さが路面標識用ブロック７に設けられた貫通孔の長さより長い。椀状金具５は円筒部５２と底部５１を備え、底部５１の中心にはカラー４の内径より小さく、ボルト２の呼び径よりやや大きい貫通孔が設けられ、円筒部５２は羽つきナット６のナット部６２の高さより長く、内径がボルト２の呼び径より大きく、外径は羽つきナット６のスリット底部６４を結んで描かれる円の直径よりやや大きい。羽つきナット６はナット部６５と羽つきプレート部６１を備え、羽つきプレート部６１は略円形で外周から中心に向かって複数の任意の形状のスリット６３が設けられ、スリット底部６４をそれぞれ互いに結ぶ線に沿ってスリット６３の間の羽部６１を塑性変形によってやや曲げられ、中心にボルトの呼び径よりやや大きい貫通孔が設けられた羽つきプレートで、羽つきプレートの貫通孔の中心とナットの雌ねじの中心を合わせて、ナットの片側端面と羽つきプレートを溶接等の方法を用いて固着されている。【００１１】図２は、本発明の繋留固定金具を用いた路面標識用ブロックの路面への固定方法の一実施例であり、路面に固定する前の状態を示す。
ボルト２にワッシャー３、カラー４の順番で挿通し、それらを路面標識用ブロック７に設けられた貫通孔に挿通し、突出したボルトおねじ部を椀状金具５の底部５１に設けられた貫通孔から挿通し、羽根つきナット６を曲げられた羽部６１の鋭角側からボルト２に螺合することで、繋留固定金具１と路面標識用ブロック７を組み付ける。【００１２】図３は、本発明の繋留固定金具を用いた路面標識用ブロックを路面に固定する取付施工方法の一実施例の断面図である。
本発明である繋留固定金具１を用いて路面標識用ブロック７を路面に固定する時、繋留固定金具１と路面標識用ブロック７を図２のように組付けた状態で、羽根つきナット６側から路面に設けられた固定用孔８に対して押し込む、あるいはハンマー等を用いて叩きこむことで、路面標識用ブロック７を路面に取付け、ボルト２と羽根つきナット６を螺合することにより、羽根つきナット６の羽部６１が拡開し、路面に穿けられた固定用孔８の側面に喰らいつき、路面標識用ブロック７がボルト２の頭部と路面に矜持され、路面標識用ブロック７が路面に固定される。
【産業上の利用の可能性】
【００１３】本発明の繋留固定金具は、路面標識用ブロックに限らず、道路の路面に穿けられた一定の大きさの固定用孔と、路面に固定したいものに一定の大きさの貫通孔があれば、路面に固定することができる。
【符号の説明】
【００１４】１    繋留固定金具
２    ボルト
３    ワッシャー
４    カラー
５    椀状金具
５１    底部
５２    円筒部
６    羽つきナット
６１    羽つきプレート部
６２    羽部
６３    スリット
６４    スリット底部
６５    ナット部
【図１】
2013194504.tif 000003
【図２】
2013194504.tif 000004
【図３】
2013194504.tif 000005